(57)【要約】      （修正有）【課題】電線切離し・接続作業における電線端部の切断作業を容易、且つ正確に行うことができる電線保持具を提供する。【解決手段】切離された一方の電線Ｂを電線Ｂの電線端部Ｂ１を含んで保持する保持部２と、保持部２を支持する支持部３と、支持部３を電線切断カッタＡに取り付ける取付け部４と、保持部２内で電線端部Ｂ１の端面Ｂ１０が接触する接触部６とを備える。保持部２は、支持部３が電線切断カッタＡに取り付けられた状態において、電線Ｂの軸線が電線切断カッタＡの切断方向と交差するとともに、電線Ｂが電線切断カッタＡの切断部Ａ１に挿通状態となるように配されている。接触部６は、電線端部Ｂ１の端面Ｂ１０が接触することで、保持された電線端部Ｂ１の端面Ｂ１０から切断部Ａ１までの長さが所定長さＣになる位置に配されている。【選択図】図１
0003169591.tif 000002
【実用新案登録請求の範囲】
【請求項１】
切離された一方の電線を該電線の電線端部を含んで保持する保持部と、前記保持部を支持する支持部と、前記支持部を電線切断カッタに取り付ける取付け部と、前記保持部内で前記電線端部の端面が接触する接触部とを備え、前記保持部は、前記支持部が電線切断カッタに取り付けられた状態において、前記電線の軸線が前記電線切断カッタの切断方向と交差するとともに、前記電線が前記電線切断カッタの切断部に挿通状態となるように配され、前記接触部は、前記電線端部の端面が接触することで、保持された前記電線端部の端面から前記切断部までの長さが所定長さになる位置に配されていることを特徴とする電線保持具。
【請求項２】
前記保持部を前記支持部に連結する連結部を備え、前記連結部は、前記支持部に設けられ、前記保持部に保持された状態の前記電線の軸線と平行な軸を有する支軸と、前記保持部の外周に設けられ、前記支軸の軸線を回転中心として該支軸に回転可能に嵌合された回転筒とを備え、前記回転筒を回転させることによって、前記保持部が、前記切断部側の前記保持部の端部が前記切断部と対面する位置から前記切断部側の前記保持部の端部が前記切断部と対面しない位置にわたって移動することを特徴とする請求項１記載の電線保持具。
【請求項３】
前記支軸と前記回転筒とにわたって設けられ、該回転筒の回転を規制する規制部とを備え、前記規制部は、前記支軸の外周又は前記回転筒の内周に周方向に沿って形成された案内レール部と、前記案内レール部と対面する前記回転筒の内周又は前記支軸の外周に、前記案内レール部にスライド自在に係合するように形成されたスライド係合部と、前記案内レール部に連設され、該案内レール部に沿ってスライドする前記スライド係合部が係合することで回転筒の回転を停止させるともに、停止位置を保持する係合保持部と、前記回転筒を前記スライド係合部が係合保持部に係合保持される方向に付勢する付勢部材とを備え、前記係合保持部は、前記切断部側の前記保持部の端部が前記切断部と対面する位置及び前記切断部側の前記保持部の端部が前記切断部と対面しない位置において、前記スライド係合部を係合保持する位置に配されていることを特徴とする請求項２記載の電線保持具。
【考案の詳細な説明】
【技術分野】
【０００１】
本考案は、電線端部の切断時に電線を保持する電線保持具に関する。
【背景技術】
【０００２】
電柱上の各種配電工事の際に、電線を切断して非送電状態として配電作業を行い、この配電作業後に電線を接続する電線切離し・接続作業が行われている。
【０００３】
この電線切離し・接続作業において切離した電線同士は、金属製の接続スリーブで接続するようにしており、この接続スリーブに一方の電線と他方の電線を挿入し、挿入した状態で接続スリーブを径方向に圧縮することで、電線同士を接続スリーブから抜けないように接続するようになっている。
【０００４】
また、接続スリーブは、径方向に圧縮したとき軸方向に伸びる。そのため、接続スリーブの伸び代に応じて接続された電線のたわみが大きくなることから、あらかじめ、一方の電線の端部を接続スリーブの伸び代に対応する長さ切断することで、接続スリーブの伸び代を吸収するようにしている。
【考案の概要】
【考案が解決しようとする課題】
【０００５】
電線の端部を接続スリーブの伸び代に対応する長さ切断する場合、作業者が電線を切断するカッタと、切断した電線が落下しないように保持する保持具とを操作して行っている。しかしながら、重量のある電線切断カッタ及び保持具を操作しながら切断作業を行うのは、作業員の負担が大きい上に、電線端部を接続スリーブの伸び代に対応する長さ切断することが難しいものであった。
【０００６】
また、切離す電線が複数本ある場合、電線を接続したときにおいて複数本の電線のたわみにばらつきが生じないようにするため、電線の端部の切断長さを同長にする必要があるが、前述のように、重量のある電線切断カッタ及び保持具を操作しながらの切断作業では、切断長さを全て同長にすることが難しいものであった。
【０００７】
尚、本考案に関連する先行技術文献のうち、出願人が当該実用新案登録出願時に知っているものがないので、開示すべき先行技術文献情報はない。
【０００８】
本考案は、このような問題に対処することを課題とするものである。すなわち、電線切離し・接続作業における電線端部の切断作業を容易、且つ正確に行うことができること、電線端部の切断作業を容易、且つ正確に行うことで、作業員の負担を軽減することができるとともに、複数の電線のたわみのばらつきを防止することができること、切断した電線の落下を防止できること、切断した電線の落下を防止することで、電線下で作業中の作業員の安全性を高めることができること、等が本考案の目的である。
【課題を解決するための手段】
【０００９】
切離された一方の電線を該電線の電線端部を含んで保持する保持部と、前記保持部を支持する支持部と、前記支持部を電線切断カッタに取り付ける取付け部と、前記保持部内で前記電線端部の端面が接触する接触部とを備え、前記保持部は、前記支持部が電線切断カッタに取り付けられた状態において、前記電線の軸線が前記電線切断カッタの切断方向と交差するとともに、前記電線が前記電線切断カッタの切断部に挿通状態となるように配され、前記接触部は、前記電線端部の端面が接触することで、保持された前記電線端部の端面から前記切断部までの長さが所定長さになる位置に配されていることを特徴とする。
【００１０】
また、前記保持部を前記支持部に連結する連結部を備え、前記連結部は、前記支持部に設けられ、前記保持部に保持された状態の前記電線の軸線と平行な軸を有する支軸と、前記保持部の外周に設けられ、前記支軸の軸線を回転中心として該支軸に回転可能に嵌合された回転筒とを備え、前記回転筒を回転させることによって、前記保持部が、前記切断部側の前記保持部の端部が前記切断部と対面する位置から前記切断部側の前記保持部の端部が前記切断部と対面しない位置にわたって移動することを特徴とする。
【００１１】
また、前記支軸と前記回転筒とにわたって設けられ、該回転筒の回転を規制する規制部とを備え、前記規制部は、前記支軸の外周又は前記回転筒の内周に周方向に沿って形成された案内レール部と、前記案内レール部と対面する前記回転筒の内周又は前記支軸の外周に、前記案内レール部にスライド自在に係合するように形成されたスライド係合部と、前記案内レール部に連設され、該案内レール部に沿ってスライドする前記スライド係合部が係合することで回転筒の回転を停止させるともに、停止位置を保持する係合保持部と、前記回転筒を前記スライド係合部が係合保持部に係合保持される方向に付勢する付勢部材とを備え、前記係合保持部は、前記切断部側の前記保持部の端部が前記切断部と対面する位置及び前記切断部側の前記保持部の端部が前記切断部と対面しない位置において、前記スライド係合部を係合保持する位置に配されていることを特徴とする。
【考案の効果】
【００１２】
このような特徴を有することで本考案は、以下の効果を奏する。すなわち、電線切断カッタに取り付けた状態の保持部が、電線の軸線が前記電線切断カッタの切断方向と交差するとともに、電線が電線切断カッタの切断部に挿通状態となるように電線を保持し、電線端部が接触部に接触することで、保持された電線の電線端部から切断部までの長さが所定長さに設定されるようにしたことにより、電線切離し・接続作業における電線端部の切断作業を容易、且つ正確に行うことができる。また、電線端部の切断作業を容易、且つ正確に行うことで、作業員の負担を軽減することができるとともに、複数の電線のたわみのばらつきを防止することができる。また、切断した電線の落下を防止でき、切断した電線の落下を防止することで、電線下で作業中の作業員の安全性を高めることができる。
【図面の簡単な説明】
【００１３】
【図１】本発明の一実施形態に係る電線保持具の電線端部の切断作業状態を示し、（ａ）は一部切欠側面図、（ｂ）は（ａ）の（ｂ）−（ｂ）線断面図。
【図２】回転筒をスライドさせて回転させた状態を示し、（ａ）は一部切欠要部拡大側面図、（ｂ）は（ａ）の（ｂ）−（ｂ）線断面図。
【図３】本発明の一実施形態に係る電線保持具の電線の切離し作業状態を示し、（ａ）は一部切欠側面図、（ｂ）は（ａ）の（ｂ）−（ｂ）線断面図。
【考案を実施するための形態】
【００１４】
本考案でいう電線切離しとは、送電可能に配線されている電線の経間を物理的に切断することを意味する。また、電線端部の切断とは、切離された電線の端部を所定長さ切取ることを意味する。また、所定長さとは、基本的には、切離した電線同士を接続する接続スリーブの伸び代に対応する長さである。
【００１５】
以下、本考案の実施形態に係る電線保持具を図１乃至図３に基づいて説明する。電線保持具１は、電線端部の切断作業のみならず、電線切離し作業時にも電線切断カッタ（以下「カッタ」という）Ａに取り付けた状態で使用するものである。
【００１６】
電線保持具１は、切離された一方の電線Ｂをその電線端部Ｂ１を含んで保持する保持部２と、保持部２を支持する支持部３と、支持部３をカッタＡに取り付ける取付け部４と、保持部２を支持部３に連結する連結部５と、保持部２内で電線端部Ｂ１の端面Ｂ１０が接触する接触部６とを備えている。
【００１７】
カッタＡは、挿通された電線Ｂを切断する切断部Ａ１と、切断部Ａ１を切断動作させるための部材（図示せず）や配管（図示せず）等を内蔵した本体部Ａ２とを備えた既存の油圧カッタである。切断部Ａ１は、本体部Ａ２の一部を構成する対向する２枚の板Ａ３、Ａ４の間に挿入され、本体部Ａ２を貫通するように螺合取り付けられたボルトＡ５によって軸支されている。また、本体部Ａ２の切断部Ａ１の反対側には絶縁棒Ａ６が取り付けられている。切断部Ａ１に対する電線Ｂの挿通方向は、電線Ｂの軸方向が切断部Ａ１の切断動作方向と直交する方向である。
【００１８】
尚、以下では、図示において、切断部Ａ１側を上側とし、絶縁棒Ａ６側を下側とする。また切断部Ａ１の切断動作方向を左右方向とし、切断部Ａ１に挿通された電線Ｂの軸方向を前後方向とする。
【００１９】
保持部２は、一端を開口部２０とし、他端を閉塞部２１とした円筒状に形成されている。この閉塞部２１の内側を接触部６としており、開口部２０から電線Ｂを挿入したとき、電線端部Ｂ１の端面Ｂ１０が接触部６に接触することにより、これ以上の電線Ｂの挿入がされないようになっている。また、保持部２は、支持部３が本体部Ａ２に取り付けられた状態で、軸方向が前後方向となるように連結部５を介して支持部３に取り付けられている。この保持部２は、絶縁加工や絶縁機能を有する素材によって形成することによって、ショートや感電等を防止している。
【００２０】
支持部３は、中央にボルトＡ５が嵌入する溝３０が形成された金属板状のものであり、取付け部４を介して本体部Ａ２と対面するように取り付けられるようになっている。
【００２１】
溝３０は、支持部３の左右方向中央部に、溝方向を上下方向に沿う方向として、下端寄りの中途まで形成されており、この溝３０に本体部Ａ２から突出するボルトＡ５が嵌入することで、本体部Ａ２に対して支持部３を面接触状態で取り付けできるようになっている。
【００２２】
溝３０の下端側は、溝３０の開口３１と連続する開放部３２となっており、更に、溝３０の下端の下方には、溝３０の開口３１と連続するスリット３３が支持部３の下縁Ａ２０まで形成されている。
【００２３】
取付け部４は、板Ａ３の上縁Ａ３１に上方から引っ掛けるフック部４０、４０と、板Ａ３の左右縁Ａ３２、Ａ３２に上方からスライドして嵌合するスライドフック部４１、４１と、開放部３２を開放及び閉塞する閉塞板４２と、閉塞板４２の開放部３２に対する閉塞状態を保持する保持部材４３とを備えている。
【００２４】
閉塞板４２は、開放部３２の溝３０の底部３４側の縁に、この開放部３２を開放及び閉塞する方向に回転可能に軸支され、この閉塞板４２を回転操作する操作板４４が一体に備えられている。
【００２５】
保持部材４３は、支持部３と対面する操作板４４の面に固着されたマグネットであり、閉塞板４２を閉塞状態にしたときに、保持部材４３が支持部３に接触して、その磁力によって吸着することで閉塞板４２の閉塞状態を保持するようになっている。また、保持部材４３の吸着力に抗して操作板４４を操作して閉塞板４２を開放方向へ回転させることによって、閉塞板４２の閉塞状態を解除して開放部３２を開放するようになっている。
【００２６】
このような取付け部４を備えた支持部３は、スリット３３にボルトＡ５が嵌入した状態、且つフック部４０及びスライド係合部４１，４１が上縁Ａ３１よりも上方に位置した状態となるように、支持部３を本体部Ａ２に対して対面状に接触させ、この接触した状態のまま、支持部３を下方に移動させることによって、ボルトＡ５が開放部３２を通過して溝３０に嵌入するとともに、フック部４０，４０が上縁Ａ３１に引っ掛かり、且つスライドフック部４１，４１が左右縁Ａ３２、Ａ３２にスライドして嵌合することによって、本体部Ａ２に取り付けることができる。
【００２７】
ボルトＡ５が開放部３２を通過するとき、閉塞板４２を閉塞解除方向に回転させて開放部３２を開放し、ボルトＡ５が溝３０に嵌入した後、閉塞板４２を閉塞方向へ回転させて開放部３２を閉塞する。そして、閉塞板４２の開放部３２の閉塞に伴って、保持部材４３が支持部３に吸着されることで、閉塞板４２の開放部３２に対する閉塞状態を保持することができる。
【００２８】
すなわち、フック部４０，４０及びスライドフック部４１，４１によって、支持部３の下方向及び左右方向へのスライドを防止し、保持部材４３で開放部３２に対する閉塞状態が保持された閉塞板４２によって、支持部３の上方向へのスライドを防止することができる。したがって、切断部Ａ１をどの方向に向けても、本体部Ａ２に対する電線保持具１の取付け状態を保持することができるため、作業中における電線保持具１の外れや落下を防止することができる。
【００２９】
連結部５は、溝３０の底部３４に軸方向を前後方向として一体に設けられた支軸５０と、保持部２の外周に、軸方向が保持部２の軸線と平行となるように一体に設けられ、支軸５０の軸線を回転中心として、支軸５０に回転自在に嵌合する回転筒５１とを備えている。
【００３０】
支軸５０は、筒状のものであり、同じく筒状の回転筒５１が回転及び支軸５０の軸線に沿ってスライド可能に遊嵌合している。支軸５０と回転軸５１とにわたって、回転筒５１の回転を規制する規制部７が配されている。
【００３１】
回転筒５１は、回転することによって、保持部２を開口部２０が切断部Ａ１と対面する位置と切断部Ａ１と対面しない位置になるように移動させるようになっている。また、回転筒５１の回転は、規制部７によって、保持部２を開口部２０が切断部Ａ１と対面する位置と切断部Ａ１と対面しない位置に停止させるように規制されている。
【００３２】
ここで、保持部２の開口部２０が切断部Ａ１と対面する位置と切断部Ａ１と対面しない位置について説明する。保持部２の開口部２０が切断部Ａ１と対面する位置とは、電線Ｂの電線端部Ｂ１を切断する際の保持部２の位置であり、保持部２に保持された電線Ｂが切断部Ａ１に挿通されて切断可能な状態となる位置である（図１参照）。保持部２の開口部２０が切断部Ａ１と対面しない位置とは、電線Ｂを切離す際の保持部２の位置であり、切断部Ａ１に電線Ｂを挿通するときに、保持部２が挿通作業の邪魔にならないようにする位置である(図３参照)。
【００３３】
すなわち、保持部２を開口部２０が切断部Ａ１と対面する位置と切断部Ａ１と対面しない位置に移動させることによって、電線Ｂの切離し作業から電線Ｂの電線端部Ｂ１の切断作業に容易、且つ迅速に切り替えることができる。
【００３４】
接触部６は、保持部２に保持された電線端部Ｂ１の端面Ｂ１０が接触したとき、この端面Ｂ１０から切断部Ａ１までの電線Ｂの長さが所定長さＣになる位置に設定されている。すなわち、電線端部Ｂ１を保持部２に保持するとき、端面Ｂ１０を接触部６に接触するまで挿入することで、何本の電線端部Ｂ１を切断しても、常に同じ長さに切断することができる。
【００３５】
規制部７は、支軸５０に周方向に沿って長孔状に開孔された案内レール部７０と、案内レール部７０にスライド可能に貫通するように回転筒５１の内側に径方向に突設されたスライド係合部７１と、案内レール部７０の両端部に支軸５０の軸方向に沿って連設され、スライド係合部７１を係合保持する係合保持部７２Ａ、７２Ｂと、回転筒５１をスライド係合部７１が係合保持部７２Ａ、７２Ｂに係合保持される方向に付勢する付勢部材である引っ張りばね７３とを備えている。
【００３６】
案内レール部７０は、一端の係合保持部７２Ａが、スライド係合部７１を係合保持したときに、保持部２の開口部２０が切断部Ａ１と対面する位置に設定され（図１参照）、他端の係合保持部７２Ｂが、スライド係合部７１を係合保持したときに、保持部２の開口部２０が切断部Ａ１と対面しない位置に設定されている(図３参照)。案内レール部７０は、支軸５０の径方向で対面するように同じ長さで２本形成されている。
【００３７】
案内レール部７０における係合保持部７２Ａと係合保持部７２Ｂとの位置関係は、係合保持部７２Ａから周方向に９０°の位置に係合保持部７２Ｂが位置するようになっている。
【００３８】
尚、案内レール部７０における係合保持部７２Ａと係合保持部７２Ｂとの位置関係は、例示した角度に限るものではなく、保持部２の開口部２０が切断部Ａ１と対面しない位置となる角度であればよい。
【００３９】
スライド係合部７１は、回転筒５１の外周から径方向に貫通取付けされたものであり、引っ張りばね３の一端を引っ掛ける部材としても使用されている。
【００４０】
係合保持部７２Ａ、７２Ｂは、案内レール部７０の長孔と連続するように形成された貫通孔状のものであり、支持部から支軸５０の軸線に沿って支持部３から離間する方向に案内レール部７０を延長するように形成されており、スライド係合部７１を係合保持することによって、回転筒５１の回転を阻止するようになっている。
【００４１】
引っ張りばね７３は、伸長させて引っ張り力を作用させた状態で、一端をスライド係合部７１に引っ掛け、他端を支軸５０の支持部３側と反対側の端部に設けられたばねフック７４に引っ掛けて配してあり、回転筒５１を常に支持部３から離間するようにスライドする方向に付勢するようになっている。
【００４２】
すなわち、引っ張りばね７３が回転筒５１を常に支持部３に向かってスライドする方向に付勢することによって、係合保持部７２Ａ、７２Ｂによるスライド係合部７１の係合を保持するようになっている。係合保持部７２Ａ、７２Ｂによるスライド係合部７１の係合保持の解除は、回転筒５１を引っ張りばね７３の付勢力に抗して支持部３方向にスライドさせることによって、スライド係合部７１が係合保持部７２Ａ、７２Ｂから脱出するとともに、案内レール部７０に移動するようになっている。スライド係合部７１が案内レール部７０に移動することによって、回転筒５１を回転させることができる。
【００４３】
以上のような構成の電線保持具１によると、カッタＡに着脱自在に取り付けることができ、カッタＡに取り付けた状態で、電線Ｂの切離し作業及び電線Ｂの電線端部Ｂ１の切断作業を行うことができるため、作業員の負担を軽減することができる。
【００４４】
また、保持部２は、電線Ｂの切離し作業においてこの電線Ｂの邪魔にならない位置に移動し、電線Ｂの電線端部Ｂ１の切断作業においては、電線端部Ｂ１を保持した状態で電線Ｂが切断部Ａ１に挿通する位置に移動するようにされているため、電線Ｂの切離し作業及び電線Ｂの電線端部Ｂ１の切断作業を効率的に行うことができる。
【００４５】
また、電線端部Ｂ１の端面Ｂ１０を接触部６に接触するまで挿入することで、何本の電線端部Ｂ１を切断しても、常に同じ長さに切断することができるようにしているため、複数本の電線端部Ｂ１の切断作業を容易、且つ正確に行うことができる。すなわち、径方向に隣り合う複数本の電線Ｂが全て切離されて、夫々切離された電線Ｂ同士を接続した場合でも、全ての電線Ｂのたわみを同一にするとともに、バランスよい配線状態を容易、且つ正確に行うことができる。
【００４６】
また、切断された電線端部Ｂ１が保持部２で保持されているため、切断作業後における電線端部Ｂ１の落下防止でき、電線Ｂの直下で作業中の作業員の安全性を高めることができる。
【００４７】
尚、本考案は、例示した実施の形態に限定するものではなく、特許請求の範囲の各項に記載された内容から逸脱しない範囲の構成による実施が可能である。例えば、保持部２を開口部２０が切断部Ａ１と対面する位置となるように支持部３に対して不動状に取り付けた形態の電線保持具１としてもよく(図示せず)、この電線保持具１の場合、電線Ｂの電線端部Ｂ１を切断する作業にのみ用いられる。
【符号の説明】
【００４８】
Ａ：カッタ(電線切断カッタ)
Ａ１：切断部
Ｂ：電線
Ｂ１：電線端部
Ｂ１０：端面
Ｃ：所定長さ
１：電線保持具
２：保持部
２０：開口部
３：支持部
４：取付け部
５：連結部
５０：支軸
５１：回転筒
６：接触部
７：規制部
７０：案内レール部
７１：スライド係合部
７２Ａ：係合保持部
７２Ｂ：係合保持部
７３：引っ張りばね
【図１】
0003169591.tif 000003
【図２】
0003169591.tif 000004
【図３】
0003169591.tif 000005